(57)【特許請求の範囲】
【請求項１】
フラットスラブの下面側に小梁が所定間隔で一体に形成される合成スラブの構築方法であって、
壁紙などの内装材を直張り可能な耐火性耐力面材の片面側に、断熱パネルを張り、前記小梁間に充填される断熱埋込材と前記断熱パネルが一体化すると共に前記断熱埋込材の上面から下向きに拡がる凹部を形成した型枠兼用内装下地ボードを合成スラブの下面高さに敷き詰め、
前記断熱埋込材が埋没してその上に所定厚さのフラットスラブが形成されるまでコンクリートを打設する際に、そのコンクリートを前記凹部に流入させることを特徴とする合成スラブの構築方法。
【請求項２】
フラットスラブの下面側に小梁が一体に突出形成される合成スラブを構築する際に用いられる型枠兼用内装下地ボードであって、
壁紙などの内装材を直張り可能な耐火性耐力面材の片面側に断熱パネルが張られ、当該断熱パネルに、前記小梁間に充填される断熱埋込材が一体化されると共に、前記断熱埋込材の上面には、スラブ形成時に打設されるコンクリートが流入する凹部が下向きに拡がって形成されたことを特徴とする型枠兼用内装下地ボード。
【請求項３】
前記耐火性耐力面材が、無機発泡体及び繊維状物質を含む主剤を結合材で固めた心材板の表裏両面に、鉱物繊維を含む主剤を結合材で固めた繊維強化層を一体成形した三層構造材でなる請求項２記載の型枠兼用内装下地ボード。
【請求項４】
前記断熱パネル又は断熱埋込材に、その長手方向に沿って配線・配管用挿通孔が貫設されてなる請求項２又は３記載の型枠兼用内装下地ボード。
【請求項５】
フラットスラブの下面側に小梁が一体に突出形成される合成スラブの型枠として、壁紙などの内装材を直張り可能な耐火性耐力面材の片面側に断熱パネルが張られ、当該断熱パネルには前記小梁間に充填される断熱埋込材が一体化されると共に、該断熱埋込材の上面にスラブ形成時に打設されるコンクリートが流入する凹部が下向きに拡がって形成された型枠兼用内装下地ボードを用いる場合に、これをフラットスラブの下面側に固定する型枠兼用内装下地ボードの取付具であって、
前記型枠兼用内装下地ボードの耐火性耐力面材に固定されるベースと、断熱埋込材のに載せられる配筋用スペーサと、前記ベース及びスペーサに係合されてこれらを互いに連結する連結ロッドとからなり、
前記ベース、スペーサには連結ロッドの両端を差し込む挿込孔が形成され、連結ロッド両端と各挿込孔には、連結ロッドの両端部を挿し込んだときに、互いに抜けないように噛み合う係合部が形成されたことを特徴とする型枠兼用内装下地ボードの取付具。
【発明の詳細な説明】
【０００１】
【発明の属する技術分野】
本発明は、フラットスラブの下面側に小梁が所定間隔で並行に形成される合成スラブの構築方法、それに用いる型枠兼用内装下地ボード及びその取付具に関する。
【０００２】
【従来の技術】
マンションなどの天井面及び床面となるスラブを構築する場合、まず、その下面に型枠となるベニヤ板などせき板を敷き詰めて型枠の組立てを行い、次いで、当該せき板の上にコンクリートを打設し、硬化した後にせき板を取り外して型枠バラシを行い、最後に、天井面となる下向面に内装仕上げを行なうのが一般的である。
【０００３】
ところで最近では、スラブのワイドスパン化が図られており、厚さが均等なフラットスラブでは強度不足となるところから、スラブ断面を工夫してスラブを強化した合成スラブが用いられている。
【０００４】
この合成スラブは、フラットスラブの下面側に、小梁となる突条のリブを所定間隔で一体形成したもので、大梁間や耐力壁間に所定間隔で架設される小梁でフラットスラブを支持したものと等しい強度を有する。
【０００５】
【発明が解決しようとする課題】
しかしながら、このような合成スラブは天井面側に多数の突条を形成しなければならないため、その型枠の組立て及び支持がフラットスラブに比して非常に面倒で工期・工費が嵩むだけでなく、コンクリート養生後は、天井面に小梁の凹凸が形成されるために見栄えが悪く、内装工事も面倒でコストが嵩むという問題があった。
【０００６】
さらに最近では、次世代省エネルギー基準が告示されており、コンクリートの熱還流を遮断して住宅の高断熱化や壁内結露防止を図るために、型枠を外した後、天井面に内壁面に断熱材と下地用のボードを２層にして張付けたり、断熱材で形成された下地用のボードを貼り付けなければならず、建築資材が増え、工期が延び、コストが嵩むという問題があった。
【０００７】
そこで本発明は、合成スラブを構築する際に、天井面側をフラットに形成し、型枠バラシ、内装用下地ボード及び断熱材の施工の面倒を解消し、ひいては、建築資材の削減、工期の短縮、建築コストの低減を図ることを技術的課題としている。
【０００８】
【課題を解決するための手段】
この課題を解決するために、本発明に係る合成スラブの構築方法は、フラットスラブの下面側に小梁が所定間隔で一体に形成される合成スラブの構築方法であって、壁紙などの内装材を直張り可能な耐火性耐力面材の片面側に、断熱パネルを張り、前記小梁間に充填される断熱埋込材と前記断熱パネルが一体化すると共に前記断熱埋込材の上面から下向きに拡がる凹部を形成した型枠兼用内装下地ボードを合成スラブの下面高さに敷き詰め、前記断熱埋込材が埋没してその上に所定厚さのフラットスラブが形成されるまでコンクリートを打設する際に、そのコンクリートを前記凹部に流入させることを特徴としている。
【０００９】
本発明によれば、小梁間に充填される難燃性又は不燃性の断熱埋込材が型枠兼用内装下地ボードの上面側に形成されているので、この型枠をスラブの下面高さに平らに敷き詰めると、断熱埋込材のない部分が小梁形成用の凹溝となる。
すなわち、合成スラブを構築する場合も、フラットスラブを構築する場合と同様に、型枠を平らに敷き詰めるだけで良いので、小梁を形成するために型枠の複雑な組立を行なう必要がなくなる。
【００１０】
したがって、ここにコンクリートを打設すれば、凹溝にコンクリートが流れ込んで小梁が形成され、さらに、断熱埋込材がコンクリート内に埋没するとその上に所定厚さのフラットスラブが形成される。
【００１１】
この型枠として本発明では、壁紙などの内装材を直張り可能な耐火性耐力面材の片面側に断熱パネルが張られ、当該断熱パネルに、前記小梁間に充填される断熱埋込材が一体化されると共に、前記断熱埋込材の上面には、スラブ形成時に打設されるコンクリートが流入する凹部が下向きに拡がって形成された型枠兼用内装下地ボードを用いた。
【００１２】
この型枠兼用内装下地ボードは、壁紙などの内装材が直張り可能であるので、コンクリート硬化後に、型枠として使用した型枠兼用内装下地ボードを型枠バラシする必要がなく、そのまま内装工事を行なうことができる。
すなわち、型枠の撤去作業と内装下地処理が一切不要となるので、工程数が減少されて工期が短縮され、建築資材の使用量が削減される。
【００１３】
しかも、フラットスラブの下面に突出される小梁間に断熱埋込材が充填され、内装下地ボードが合成スラブの下面を平らに覆うので、天井面に小梁の凹凸が突出形成されることがない。
さらに、断熱埋込材の上面には下方に向って拡がる凹部が形成されているので、型枠兼用内装下地ボードの落下が確実に防止される。
【００１４】
また、型枠兼用内装下地ボードのコンクリート面側は断熱パネルが張られて、コンクリートの下面全面が覆われるので、熱還流が遮断され、屋内の暖気及び涼気がコンクリートを介して外部に逃げることもなく、ヒートブリッジの発生が確実に防止される。
【００１５】
さらに、本発明に係る取付具を用いて、型枠兼用内装下地ボードの耐火性耐力面材に固定したベースと、断熱埋込材の上に載せた配筋用スペーサを連結ロッドの両端に係合させれば、型枠組立時は断熱埋込材が耐火性耐力面材に固定され、コンクリート硬化後は配筋用スペーサがコンクリート内に埋まるので型枠兼用下地ボードをスラブ下面にしっかりと取り付けられる。
【００１６】
【発明の実施の形態】
以下、本発明の実施の形態を図面に基づいて具体的に説明する。
図１は本発明に係る型枠兼用内装下地ボードを示す斜視図、図２は本発明方法で構築した合成スラブを示す断面図である。
【００１７】
本例に係る型枠兼用内装下地ボード１は、フラットスラブＳ１の下面側に小梁Ｓ２…が一体に突出形成される合成スラブＳを構築する際に用いられるもので、図１に示すように、壁紙などの内装材を直張り可能な耐火性耐力面材２の片面側には、難燃性又は不燃性の断熱パネル３が張られて一体に形成され、さらに、この断熱パネル３には、小梁Ｓ２…間に充填される難燃性又は不燃性の断熱埋込材４が、内装下地ボード１の中心に沿ってその長手方向に延設されて一体的に形成されてなる。
【００１８】
耐火性耐力面材２としては、無機発泡体及び繊維状物を含む主剤を結合材で祖固めた心材板２Ａの表裏両面に、鉱物繊維を含む主剤を結合材で固めた繊維補強層２Ｂ、２Ｂを一体成形して三層構造に形成した厚さ６〜１２ｍｍ程度のダイライト（大建工業株式会社の商品名）を用いた。
【００１９】
この耐火性耐力面材２は、無機質原料が繊維状になって絡み合った多孔質体であり、特類の構造用合板と同等の強度を有し、防腐、防蟻性、防耐火性、通気性に優れ、吸湿による膨張も極めて少ないという建材に適した特性を有している。
【００２０】
断熱パネル３及び断熱埋込材４としては、熱伝導率が低く、且つ、耐火性能に優れたものが好ましく、本例では、熱伝導率が0.017kcal/m・h・℃（0.020Ｗ／ｍ・Ｋ）のフェノール発泡樹脂である厚さ５０〜７０ｍｍのネオマフォーム（旭化成建材株式会社の商品名）を用いた。
また、この断熱パネル３又は断熱埋込材４には、その長手方向に沿って配線・配管用挿通孔５が貫設されてなる。
【００２１】
なお、断熱埋込材４のコンクリート面側には、打設されたコンクリ-トが流れ込む凹部６が開口形成され、コンクリートとの接触面積を増やすことにより、接着強度を向上させている。
この凹部６は図１に示すように下方に向かって拡がるラッパ状に形成されているので、接触面積が増すだけでなく、型枠兼用内装下地ボード１の落下が確実に防止される。
さらに、小梁Ｓ２を高くする場合に、その断熱埋込材４の上に継足材（図示せず）を重ねるための係合溝１１が、断熱埋込材４のコンクリート面側に形成されている。
【００２２】
７は内装下地ボード取付具であって、型枠兼用内装下地ボード１の耐火性耐力面材２にボルトなどで固定されるベース８と、断熱埋込材４の上に載せられる配筋用スペーサ９と、これらを連結する連結ロッド１０からなる。
そして、ベース８及び配筋用スペーサ９の挿込孔８ａ、９ａと、連結ロッド１０には、連結ロッド１０の両端部１０ａ、１０ａを挿し込んだときに、互いに抜けないように噛み合う係合部８ｂ、９ｂ、１０ｂが夫々形成されている。
【００２３】
以上が本発明に係る型枠兼用内装下地ボードの構成例であって、次にこれを用いた合成スラブ構築方法について説明する。
まず、型枠兼用内装下地ボード１を合成スラブＳの下面高さに平らに敷き詰め、断熱埋込材４を貫通して連結ロッド１０をベース８の挿込孔８ａに挿し込み、その上端に配筋用スペーサ９を装着し、配筋した後にコンクリートを打設する。
【００２４】
型枠兼用内装下地ボード１は、耐火性耐力面材２を下向に、断熱パネル３や断熱埋込材４を上向にして敷かれるので、コンクリート面となる側に断熱埋込材４でその長手方向に連続する突条が形成され、隣接する断熱埋込材４の間に凹溝が形成されることになる。
したがって、スラブを形成する際にコンクリートを打設すると、その凹溝内にコンクリートが流れ込んで小梁Ｓ２…が形成されると共に、断熱埋込材４の上面から下向きに拡がる凹部６内にコンクリートが流入し、さらにコンクリートを打設すると、断熱埋込材４が埋没して所要厚さのフラットスラブＳ１に小梁Ｓ２…が一体成形された合成スラブＳが構築されることになる。
【００２５】
型枠兼用内装下地ボード１は、壁紙などの内装材が直張り可能であるので、コンクリート硬化後に、型枠として使用した型枠兼用内装下地ボード１を型枠バラシすることなく、そのまま内装工事を行なうことができる。
すなわち、型枠の撤去作業と内装下地処理が一切不要となるので、工程数が減少されて工期が短縮され、建築資材の使用量が削減される。
【００２６】
しかも、フラットスラブＳ１の下面に突出される小梁Ｓ２間に断熱埋込材４が充填され、内装下地ボード１が合成スラブＳの下面を平らに覆うので、天井面に小梁Ｓ２の凹凸が突出形成されることがなく、見栄えも良い。
【００２７】
また、型枠兼用内装下地ボード１のコンクリート面側には断熱パネル３が張られて、合成スラブＳの下面全面が覆われるので、熱還流が遮断され、屋内の暖気及び涼気がコンクリートを介して外部に逃げることもなく、ヒートブリッジの発生が確実に防止される。
さらに、断熱パネル３及び断熱埋込材４としては、発泡樹脂製に限らず任意の材質のものを採用し得る。
【００２８】
【発明の効果】
以上述べたように、本発明によれば、合成スラブを構築する際に、天井面側をフラットに形成することができ、型枠バラシ、内装用下地ボード及び断熱材の施工の面倒が解消され、ひいては、建築資材の削減、工期の短縮、建築コストの低減を図ることができるという大変優れた効果を奏する。
【図面の簡単な説明】
【図１】本発明に係る型枠兼用内装下地ボードの斜視図。
【図２】本発明方法で構築した合成スラブの断面図。
【符号の説明】
１………型枠兼用内装下地ボード
２………耐火性耐力面材
２Ａ……心材板
２Ｂ……繊維補強層
３………断熱パネル
４………断熱埋込材
Ｓ………合成スラブ
Ｓ１……フラットスラブ
Ｓ２……小梁
５………配線・配管用挿通孔
【図１】
0003726120.tif 000002
【図２】
0003726120.tif 000003